(57)【要約】      （修正有）【課題】２個、又は３個の果実を嵩張らずに包装した果実パックを提供する。【解決手段】果実パック１００は、２個、又は３個の果実と有底筒状の袋２とを備え、果実のそれぞれが、軸５を袋の開口部３側、又は底部７側に向けて一列に積み重なって袋に収容されている。少なくとも１個の果実の軸、又はヘタが他の果実のお尻の窪み９に収容されていることが好ましい。果実を３個を備える場合は、３個の果実すべてが軸、又はヘタを同じ方向に向けていてもよいし、２個の果実が軸、又はヘタを同じ方向に向け、他の１個は軸、又はヘタを逆方向に向けていてもよい。袋を周囲から締めるようにして開口部を閉じる閉鎖手段４を備えることが好ましい。果実がリンゴである場合、果実は、直径が６ｃｍ以上９ｃｍ以下、高さが６．５ｃｍ以上９．５ｃｍ以下であることが好ましい。【選択図】図１
0003203907.tif 000002
【実用新案登録請求の範囲】
【請求項１】
果実２個、又は３個と有底筒状の袋とを備え、
前記２個、又は３個の果実のそれぞれが、軸、又はヘタを前記袋の開口部側、又は底部側に向けて一列に積み重なって前記袋に収容されている果実パック。
【請求項２】
前記果実がリンゴである請求項１に記載の果実パック。
【請求項３】
前記果実がオレンジである請求項１に記載の果実パック。
【請求項４】
前記果実のうち少なくとも１個の果実の軸、又はヘタが他の果実のお尻の窪みに収容されている請求項１から請求項３に記載の果実パック。
【請求項５】
果実を３個備え、
前記果実３個すべてが軸、又はヘタを同じ方向に向けている請求項１から請求項３に記載の果実パック。
【請求項６】
果実を３個備え、
前記果実３個のうち２個が軸、又はヘタを同じ方向に向け、他の１個は軸、又はヘタを逆方向に向けている請求項１から請求項３に記載の果実パック。
【請求項７】
前記袋を周囲から締めるようにして開口部を閉じる閉鎖手段を備える請求項１から請求項６のいずれか１項に記載の果実パック。
【請求項８】
前記リンゴは、直径が６ｃｍ以上９ｃｍ以下、高さが６．５ｃｍ以上９．５ｃｍ以下である請求項２に記載の果実パック。
【考案の詳細な説明】
【技術分野】
【０００１】
本考案は、リンゴやオレンジ等の果実を袋で包装した果実パックに関する。
【背景技術】
【０００２】
本出願人は、果実の販売業を営むものであり、リンゴやオレンジの販売を促進するために鋭意検討を重ねた結果、コンビニエンスストアに販路を拡大することに想到し、そのために解決すべきいくつかの課題に想到する。
【０００３】
即ち、コンビニエンスストアを頻繁に利用するサラリーマンや学生にとって、リンゴやオレンジ等の果実の皮を剥いたり小さく切断したりするのは面倒なため、丸ごと１個の果実は敬遠されるという課題がある。
一方で、リンゴ等は皮と実の間にビタミンＣやビタミンＥ等の栄養素が含まれるため、皮を剥かずに食べたいという要望も多い。
そして、気軽に手に取ってもらうにはコンパクトで軽い包装が好ましいが、果実を１個ずつ販売していたのでは数量が捌けないという問題がある。
【０００４】
そこで、これらの課題を解決すべく鋭意研究を重ねた結果、皮が薄くて皮ごと丸かじりできる小振りのリンゴや皮が薄くて剥き易い小振りのオレンジを販売することで、皮を剥く手間や切り分ける手間を不要にするとともに栄養素を無駄なく取り入れることを可能にし、複数個を梱包してもコンパクトに、かつ軽量にできると考えた。
そして、従来の包装方法を検討した結果、例えば非特許文献１のようにビニール袋等に包装することで、コンパクトかつ軽量に複数個のリンゴを包装できると考えた。
この非特許文献１の包装方法は、ビニール袋の底側と開口側にそれぞれ２個ずつ２段にリンゴを積み重ねるようにして計４個のリンゴを包装するようにするものである。
【先行技術文献】
【非特許文献】
【０００５】
【非特許文献１】株式会社精工ネットショップホームページの商品カテゴリーの果物類のりんご・梨のページ平成２８年２月１０日検索＜ｈｔｔｐ：//ｗｗｗ.ｄｐｒｉ・ｎｅｔ.ｃｏｍ/ｏｎｌｉｎｅｓｈｏｐ/１３２＿３４７.ｈｔｍｌ＞
【考案の概要】
【考案が解決しようとする課題】
【０００６】
しかし、非特許文献１のような包装方法では、隣り合うリンゴどうしが腹の部分でぶつかるためリンゴの皮が薄いと破れてしまう虞がある。
また、下の段のリンゴの軸が上の段のリンゴにぶつからないように下の段の一方のリンゴの軸を上の段のリンゴのお尻の窪みに入れて収容しようとしても、上下のリンゴの大きさが異なると、上の段の２つのリンゴの窪みの間隔と下の段の２つのリンゴの軸の間隔が異なるため、下の段のリンゴの両方を上の段のリンゴのお尻の窪みに入れるのは困難である。
また、毎日コンビニエンスストアで買い物をする人は、１日分だけ買えば済むため、４個包装では、朝昼晩で３個食べても１個余るため敬遠される虞がある。
【０００７】
本考案は上記課題に鑑みてなされたものであり、果実を複数個包装しても、皮が傷みにくく、かつ、１日で食べきれる個数の果実がコンパクトに収容された果実パックを提供することを目的とする。
【課題を解決するための手段】
【０００８】
上記課題を解決するためになされた考案は、果実２個、又は３個と有底筒状の袋とを備え、前記２個、又は３個の果実のそれぞれが、軸、又はヘタを前記袋の開口部側、又は底部側に向けて一列に積み重なって前記袋に収容されている果実パックである。前記果実はリンゴであってもよいし、オレンジであってもよい。
【０００９】
このように、本考案の果実パックでは、全ての果実を１列に積み重ねるようにしたので果実の腹が他の果実にぶつからず、皮が破れにくい。
また、果実を２個、又は３個にしたので、朝と夜、あるいは朝、昼、夜に１個ずつ食べることで１日で食べきることができる。
【００１０】
本考案の果実パックは、前記果実のうち少なくとも１個の果実の軸、又はヘタが他の果実のお尻の窪みに収容されていることが好ましい。
このように、１個の果実の軸やヘタを他の果実の軸のお尻の窪みに入れることで、果実の軸やヘタのために果実の占めるスペースが嵩張ることを抑制できる。
ここで、果実の「軸やヘタ」とは、果実の実がその果実の木の枝に下がっているときに実と枝を繋ぐ部分をいい、果実の「お尻」とは、果実の軸やヘタとは反対側をいうものとする。「上下」とは、果実の軸やヘタ側を上とし、果実のお尻側を下とした場合の上下をいう。
【００１１】
本考案の果実パックが果実を３個備える場合は、前記果実３個全てが軸、又はヘタを同じ方向に向けていることが好ましい。こうすることで、２つの果実の軸、又はヘタを別の果実のお尻の窪みに入れることができるため、軸やヘタにより果実の占めるスペースが嵩張ることをさらに抑制できる。
【００１２】
本考案の果実パックが果実を３個備える場合は、前記果実３個のうち２個が軸、又はヘタを同じ方向に向け、他の１個は軸、又はヘタを逆方向に向けていてもよい。こうすることで、上下両端の果実は、袋の柔軟性により軸やヘタが嵩張ることを抑制し、中央の果実は別の果実のお尻の窪みに軸を入れることで軸が嵩張ることを抑制できる。
【００１３】
本考案の果実パックは、前記袋を周囲から締めるようにして開口部を閉じる閉鎖手段を備えることが好ましい。こうすることで、袋内部の開口部側に円錐状部分を設けることができ、この円錐状部分に最も袋の開口部に近い果実の軸を収容できるため、さらに果実の占めるスペースを抑制できる。
【００１４】
前記リンゴは、直径が６ｃｍ以上９ｃｍ以下、高さが６．５ｃｍ以上９．５ｃｍ以下であることが好ましい。こうすることで、女性や子供でも１個を１回で食べきることができる。
【考案の効果】
【００１５】
以上説明したように、本考案の果実パックによれば、２個、又は３個の果実を嵩張らずに包装できる。
【図面の簡単な説明】
【００１６】
【図１】本考案の第１実施形態に係る果実パックの斜視図である。
【図２】図１における果実（リンゴ）３個を袋から取り出した様子を示す分解斜視図である。
【図３】本考案の第２実施形態に係る果実パックの斜視図である。
【図４】図３における果実（リンゴ）３個を袋から取り出した様子を示す分解斜視図である。
【考案を実施するための形態】
【００１７】
以下、適宜図面を用いながら本考案の実施形態について詳述する。ただし、本考案は、以下の実施形態に限定されるものではない。
（第１実施形態）
図１は、本考案の第１実施形態に係る果実パック１００を示している。果実パック１００は、図１に示すように、３個のリンゴ（特許請求の範囲における「果実」）１ａ，１ｂ，１ｃ（まとめて「リンゴ１」ともいう。）と、リンゴを収容する軟質性の透明樹脂からなる有底円筒状の袋２と、袋２の開口部３を塞ぐ粘着テープ（閉鎖手段）４とを備えている。
尚、本発明の果実として、オレンジ、なし等のリンゴ以外の公知の果物を含むことはいうまでもない。果実をオレンジとする場合は、リンゴの軸がオレンジのヘタに置き換わることとなる。
【００１８】
リンゴ１は、直径が６ｃｍ以上９ｃｍ以下、高さが６．５ｃｍ以上９．５ｃｍ以下の小振りで皮の薄いリンゴからなる。
【００１９】
３個のリンゴ１ａ，１ｂ，１ｃは、いずれも軸５を袋２の開口部３の方に、お尻６を袋の底部７の方に向けて、一列に積み重ねて袋２に収容されている。
【００２０】
袋２は、最も開口部３側のリンゴ１ａの少し開口部３寄りの位置で周囲から絞めつけてあるいは、捻って粘着テープ４を巻き付けることにより、開口部３が塞がれている。こうすることにより、粘着テープ４で縛った位置とリンゴ１ａの間において袋２内部に設けた円錐状部分８にリンゴ１ａの軸５を収容することができる。
【００２１】
中央のリンゴ１ｂの軸５は、図１に示すように、最も開口部３側のリンゴ１ａのお尻６の窪み９に収容され、最も袋２の底部７側のリンゴ１ｃの軸５は、中央のリンゴ１ｂのお尻６の窪み９に収容されている。
【００２２】
リンゴ１は、直径が６ｃｍ以上９ｃｍ以下、高さ６．５ｃｍ以上９．５ｃｍ以下と小さいので嵩張らず、また、女性や子供でも１度に丸ごと１個を食べることができる。また、皮が薄いので皮ごと丸かじりすることができる。従って、ナイフを用いる必要が無く、外出先や職場へ果実パック１００を持って行く際に、ナイフを持ち歩く必要がない。
また、３個のリンゴ１ａ，１ｂ，１ｃは、例えば、朝、昼、夜に１つずつ食べることで１日で食べきることができる。
【００２３】
（第２実施形態）
図３は、本考案の第２実施形態に係る果実パック２００を示している。第２実施形態において、第１実施形態と共通する部材については、同一符号を付して説明を省略する。
【００２４】
第２実施形態では、３個のリンゴ（果実）１ａ，１ｂ，１ｃのうち、最も開口部３に近い側に収容するリンゴ１ａと中央のリンゴ１ｂは、軸５を開口部３の方へ向けて袋２へ収容する。そして、最も底部７側のリンゴ１ｃは、軸５を底部７側へ向けて、お尻６を中央のリンゴ１ｂのお尻６に突き合わせて収容する。
尚、第２実施形態においても、果実としてオレンジやなし等公知の果物を適宜用いることができる。
【００２５】
リンゴ１ｃの軸５は、軸５が袋２の底部７に当接することで袋２が膨らんで設けられるスペースに収容される。
【００２６】
本発明の果実パックは、上述した実施形態に限られるものではなく、例えば、果実は３個ではなく２個でもよい。この場合、果実２個は、それぞれ、軸を袋の開口部側に向けていてもよいし、底部側に向けていてもよい。
【００２７】
果実を３個備える場合は、果実３個全部の軸を袋の底部側に向けてもよいし、底部側の果実２個が軸、又はヘタを底部側に向け、開口部側の果実１個のみが軸を開口部側に向けるようにしてもよい。
【００２８】
閉鎖手段としては、粘着テープではなく、紐や、針金、輪ゴム、プラスチックや金属からなる金具等、袋２を外周から絞めつけて、袋の開口部を塞ぐものであれば公知のものを適宜に用いることができる。袋は、透明ではなく半透明でもよいし不透明でもよい。袋は樹脂製に限らず、紙製、布性等公知の材質の袋を適宜に用いることができる。
【符号の説明】
【００２９】
１００，２００  果実パック
１（１ａ，１ｂ，１ｃ）  リンゴ（果実）
２  袋
３  開口部
４  粘着テープ（閉鎖手段）
５  軸
６  お尻
７  底部
８  円錐状部分
９  窪み
【図１】
0003203907.tif 000003
【図２】
0003203907.tif 000004
【図３】
0003203907.tif 000005
【図４】
0003203907.tif 000006